(57)【要約】【課題】  高電圧発生回路の個体のばらつきによる高電圧出力のばらつきを調整し、且つ、搭載される電気機器を誤動作させることがない。【解決手段】  制御手段４に、前記高電圧発生回路３で出力する高電圧を検出して該検出値に基づいて前記高電圧が静電霧化に必要な所定の高電圧となるように調整する高電圧調整手段１１と、高電圧発生回路３のスイッチングを駆動させための制御手段４から出力される高電圧制御信号のスイッチング周波数を調整するための周波数調整手段１２とを設ける。周波数調整手段１１により、上記スイッチング周波数を、当該高電圧発生回路３で出力される高電圧が静電霧化に必要な所定の高電圧となるような特定周波数範囲に含まれ、且つ、前記静電霧化装置５が組み込まれる電気機器１３における赤外線リモコン受信部１４が持つ受信周波数範囲に入らない範囲に調整する。【選択図】        図１
2010064052.tif 000002
【特許請求の範囲】
【請求項１】
霧化電極と、該霧化電極に水を供給する水供給手段と、制御手段が出力する高電圧制御信号により高電圧を出力して前記霧化電極に高電圧を印加する高電圧発生回路とを備え、前記霧化電極に供給された水を前記高電圧の印加によって発生する高電界で静電霧化させる静電霧化装置において、
制御手段に、前記高電圧発生回路で出力する高電圧を検出して該検出値に基づいて前記高電圧が静電霧化に必要な所定の高電圧となるように調整する高電圧調整手段と、高電圧発生回路のスイッチングを駆動させための制御手段から出力される高電圧制御信号のスイッチング周波数を調整するための周波数調整手段とを設け、
上記周波数調整手段により、上記スイッチング周波数を、当該高電圧発生回路で出力される高電圧が静電霧化に必要な所定の高電圧となるような特定周波数範囲に含まれ、且つ、前記静電霧化装置が組み込まれる電気機器における赤外線リモコン受信部が持つ受信周波数範囲に入らない範囲に調整することを特徴とする静電霧化装置。
【請求項２】
前記制御手段から出力される前記高電圧発生回路を駆動させるための高電圧制御信号がパルス幅変調方式であることを特徴とする請求項１記載の静電霧化装置。
【発明の詳細な説明】
【技術分野】
【０００１】
本発明は、静電霧化現象を利用して帯電微粒子水を生成するための技術に関するものである。
【背景技術】
【０００２】
従来から、霧化電極と、霧化電極に水を供給する水供給手段と、霧化電極に高電圧を印加する高電圧発生回路とを備え、前記霧化電極に供給された水を前記高電圧の印加によって発生する高電界で静電霧化させて、ラジカルを含む帯電微粒子水を生成するようにした静電霧化装置が知られている。
【０００３】
現在上記のような静電霧化装置を電気機器に搭載することが行われている。静電霧化装置により発生させるラジカルを含む帯電微粒子水は、ラジカルを含み且つ長寿命であるため、空気中への拡散を大量に行うことができ、悪臭成分などに効果的に作用して脱臭に有効であり、また、肌の保湿に対しても有効である。
【０００４】
しかしながら、上記のような静電霧化装置は、高電圧発生回路の個体ばらつきにより高電圧発生回路から出力する高電圧の定格電圧に対するばらつきが大きいという問題がある。すなわち、高電圧発生回路は、使用する部品定数により高電圧の出力値が決まるため、使用する部品定数のばらつきが大きい場合、高電圧の定格電圧に対するばらつきが大きくなってしまう。高電圧のばらつきが大きすぎる高電圧発生回路は、脱臭と肌保湿に有効な帯電微粒子量を確保することができない。上記のような高電圧のばらつきが大きすぎる高電圧発生回路に対しては、部品の付け替えによる高電圧の調整をしなければならない。このため、高電圧の出力ばらつきを安定して定格電圧に調整したいという要望がある。
【０００５】
また、電気機器に組み込む静電霧化装置においては、高電圧を発生する際のスイッチング周波数が高電圧発生回路により任意に決定されるため、高電圧発生回路のスイッチング周波数が、静電霧化装置が組み込まれた家庭用エアコンなどの電気機器における赤外線リモコン受信部が持つ受信周波数と受信周波数が重なる場合があり、電気機器が誤動作するおそれがある。
【特許文献１】特開２００７−２１３７０号公報
【発明の開示】
【発明が解決しようとする課題】
【０００６】
本発明は上記の従来の問題点に鑑みて発明したものであって、高電圧発生回路の個体のばらつきによる高電圧出力のばらつきを調整し、且つ、搭載される電気機器を誤動作させることがない静電霧化装置を提供することを課題とするものである。
【課題を解決するための手段】
【０００７】
本発明に係る静電霧化装置５は、霧化電極１と、該霧化電極１に水を供給する水供給手段２と、制御手段４が出力する高電圧制御信号により高電圧を出力して前記霧化電極１に高電圧を印加する高電圧発生回路３とを備え、前記霧化電極１に供給された水を前記高電圧の印加によって発生する高電界で静電霧化させるものである。そして、本発明の特徴は、制御手段４に、前記高電圧発生回路３で出力する高電圧を検出して該検出値に基づいて前記高電圧が静電霧化に必要な所定の高電圧となるように調整する高電圧調整手段１１と、高電圧発生回路３のスイッチングを駆動させための制御手段４から出力される高電圧制御信号のスイッチング周波数を調整するための周波数調整手段１２とを設け、上記周波数調整手段１１により、上記スイッチング周波数を、当該高電圧発生回路３で出力される高電圧が静電霧化に必要な所定の高電圧となるような特定周波数範囲に含まれ、且つ、前記静電霧化装置５が組み込まれる電気機器１３における赤外線リモコン受信部１４が持つ受信周波数範囲に入らない範囲に調整することである。
【０００８】
このような構成とすることで、高電圧発生回路３の個体ばらつきによる高電圧発生回路３から出力する高電圧の定格電圧に対するばらつきを、制御手段４に設けた高電圧調整手段１１により調整して高電圧発生回路３から出力する高電圧を定格電圧となるように調整することができる。また、周波数調整手段１２により、高電圧発生回路３のスイッチングを駆動させための高電圧制御信号のスイッチング周波数を、当該高電圧発生回路３で出力される高電圧が静電霧化に必要な所定の高電圧となるような特定周波数範囲に含まれ、且つ、前記静電霧化装置５が組み込まれる電気機器１３における赤外線リモコン受信部１４が持つ受信周波数範囲に入らない範囲に調整するものであり、これにより、高電圧発生回路３のスイッチングが静電霧化装置５が組み込まれる電気機器１３を誤動作しないようにできる。
【０００９】
また、制御手段４から出力される前記高電圧発生回路３を駆動させるための高電圧制御信号がパルス幅変調方式であることが好ましい。
【００１０】
このような構成とすることで、高電圧発生回路３から出力する高電圧を固定した状態で制御することができる。
【発明の効果】
【００１１】
本発明は、上記のように構成したので、高電圧発生回路の固定ばらつきによる高電圧出力のばらつきを制御手段に設けた高電圧調整手段により調整して、高電圧の出力値を定格電圧にすることができ、部品の付け替えや可変抵抗等の手段により調整する必要がなく、生産コストを安くすることができる。また、高電圧発生回路のスイッチングが静電霧化装置が組み込まれる電気機器のリモコン受信部に影響を与えないようにでき、電気機器の誤動作を防止できる。
【００１２】
また、制御手段から出力される高電圧発生回路を駆動させるための高電圧制御信号がパルス幅変調方式とすることで、高電圧発生回路のスイッチング周波数を固定した状態で制御することができて、静電霧化装置が組み込まれる電気機器のリモコン受信部に影響を与えないようにできる。
【発明を実施するための最良の形態】
【００１３】
以下、本発明を添付図面に示す実施形態に基いて説明する。
【００１４】
図１には本発明の静電霧化装置５の制御ブロック図が示してある。静電霧化装置５は、霧化電極１と、霧化電極１に水を供給する水供給手段２と、霧化電極１に供給された水を静電霧化するために霧化電極１に供給された水に高電圧を印加するための高電圧発生回路３とを備えている。また、図１において、４はマイコンよりなる制御手段、９は放電電流検出回路、１０は高電圧検出回路、３は高電圧発生回路、５ａは霧化ブロック、７はペルチェ用電源回路、２０はペルチェ電圧検出回路である。
【００１５】
添付図面に示す実施形態においては、水供給手段２が、空気中の水分を結露水として生成することで霧化電極１に水を供給するための冷却手段により構成してある例を示している。
【００１６】
図１に示す実施形態においてはペルチェユニット６により冷却手段が構成してあり、冷却手段により空気中の水分を冷却して結露水を生成することで霧化電極１に水を供給するようになっている。
【００１７】
ペルチェユニット６は、熱伝導性の高いアルミナや窒化アルミニウムからなる絶縁板の片面側に回路を形成してある一対のペルチェ回路板を、互いの回路が向き合うように対向させ、多数列設してあるＢｉＴｅ系の熱電素子を両ペルチェ回路板間で挟持すると共に隣接する熱電素子同士を両側の回路で電気的に接続させ、ペルチェ入力リード線を介してなされるペルチェ用電源回路７から熱電素子への通電により一方のペルチェ回路板側から他方のペルチェ回路板側に向けて熱が移動するように構成したものである。更に、上記一方の側のペルチェ回路板の外側には冷却部を接続してあり、また、上記他方の側のペルチェ回路板の外側には放熱部が接続してあり、放熱部としてたとえば放熱フィンを例示できる。ペルチェユニット６の冷却部には霧化電極１の後端部が接続してある。
【００１８】
添付図面に示す実施形態では霧化電極１に対向するように対向電極８が配設してある。そして、添付図面に示す実施形態では、ペルチェユニット６と、霧化電極１と、対向電極８とで霧化ブロック５ａを構成してある。
【００１９】
上記構成の静電霧化装置５は、ペルチェユニット６に通電することで、冷却部が冷却され、冷却部が冷却されることで霧化電極１が冷却され、空気中の水分を結露して霧化電極１に水（結露水）を供給するようになっている。
【００２０】
このように霧化電極１に水が供給された状態で上記霧化電極１と対向電極８との間に高電圧発生回路３から高電圧を印加すると、霧化電極１と対向電極８との間にかけられた高電圧により霧化電極１の先端部に供給された水と対向電極８との間にクーロン力が働いて、水の液面が局所的に錐状に盛り上がり（テーラーコーン）が形成される。このようにテーラーコーンが形成されると、該テーラーコーンの先端に電荷が集中してこの部分における電界強度が大きくなって、これによりこの部分に生じるクーロン力が大きくなり、更にテーラーコーンを成長させる。このようにテーラーコーンが成長し該テーラーコーンの先端に電荷が集中して電荷の密度が高密度となると、テーラーコーンの先端部分の水が大きなエネルギー（高密度となった電荷の反発力）を受け、表面張力を超えて分裂・飛散（レイリー分裂）を繰り返してマイナス又はプラスに帯電したナノメータサイズの帯電微粒子水を大量に生成するようになっている。生成された帯電微粒子水は静電霧化装置５の外部に放出される。
【００２１】
そして、制御手段４から出力される冷却制御信号に基づいて、ペルチェ用電源回路７からペルチェユニット６に冷却用電圧が出力されてペルチェユニット６の冷却作用により空気中の水分が結露水として生成されて霧化電極１の先端部に結露水が供給される。
【００２２】
この状態で、制御手段４から高電圧制御信号を出力すると、高電圧制御信号に基づいて高電圧発生回路３から高電圧が出力され、霧化電極１に高電圧を印加され、前述のようにして霧化電極１の先端部の水の静電霧化が行われ、ナノメータサイズの帯電微粒子水が生成される。
【００２３】
ここで、放電電流検出回路９により、放電時の電流を検出し、放電電流検出回路９から制御手段４に放電電流信号を出力し、該放電電流信号に基づいて、制御手段４により高電圧発生回路３、ペルチェ用電源回路７をＰＷＭ制御するようになっている。
【００２４】
上記のような静電霧化装置５は赤外線リモコン受信部１４を備えた電気機器１３に組み込まれる。静電霧化装置５を組み込む電気機器１３としては、例えば赤外線リモコンにより制御される家庭用空調装置や空気清浄機等を挙げることができるが、必ずしも上記例のみに限定されず、赤外線リモコンにより制御される電気機器であれば、他の電気機器であってもよい。
【００２５】
ここで、上記のように電気機器１３に組み込まれる（搭載される）本発明の静電霧化装置５は、制御手段４に、高電圧発生回路３で出力する高電圧を検出して該検出値に基づいて前記高電圧が静電霧化に必要な所定の高電圧となるように調整する高電圧調整手段１１と、高電圧発生回路３のスイッチングを駆動させるための制御手段４から出力される高電圧制御信号のスイッチング周波数を調整するための周波数調整手段１２と、上記周波数調整手段１２によるスイッチング周波数の調整条件と同じ条件で調整した周波数の冷却制御信号でペルチェ用電源回路７を駆動するペルチェ電圧制御手段１５を設けている。
【００２６】
上記高電圧調整手段１１による高電圧発生回路３から出力する高電圧の調整、周波数調整手段１２による制御手段４から出力される高電圧制御信号のスイッチング周波数の調整、ペルチェ用のスイッチング周波数の調整、ペルチェ電圧制御手段１５によるペルチェ用電源回路７から出力する電圧の調整は、静電霧化装置５の初期設定の際に自動的に行われる。
【００２７】
上記初期設定においては、まず、制御手段４に設けた周波数調整手段１２によるスイッチング周波数の調整を行う制御が行われる。
【００２８】
すなわち、高電圧発生回路３の固有周波数は固体によるばらつきがあるので、周波数調整手段１２により、高電圧発生回路の固有周波数に対応して、制御手段４から高電圧発生回路３への高電圧制御信号の周波数出力を制御して静電霧化に必要な高電圧を確保できるような特定周波数範囲に含まれ、且つ、当該静電霧化装置５が組み込まれる電気機器１３における赤外線リモコン受信部１４が持つ受信周波数範囲に入らない範囲に調整する。
【００２９】
図２にはその一例の制御フロー図が示してある。
【００３０】
本実施形態においては、制御手段４から高電圧制御信号（ＰＷＭデューティ固定、周波数は初期値）を出力して、高電圧発生回路３から高電圧の出力を開始し、高電圧検出回路１０により高電圧を検出して、高電圧信号を制御手段４に入力して高電圧出力を読み込む。次に、周波数をΔｆだけワンステップ増加させ、周波数をΔｆ増加させた時の高電圧出力が下降（高電圧信号値が減少）した場合は、周波数をΔｆだけワンステップ減少させ、周波数をΔｆ減少させた時の高電圧が上昇（高電圧信号値が増加）する場合は、周波数制限値（上記赤外線リモコン受信部１４が持つ受信周波数範囲の上限値）を越えたか否かを判定し、周波数制限値を越えた場合は、上記越えた周波数よりもワンステップ前の周波数にスイッチング周波数を確定する（図３参照）。
【００３１】
周波数制限値を越えない場合は、再び周波数をΔｆだけワンステップ減少させる。
【００３２】
一方、周波数をΔｆ減少させた時の高電圧が下降（高電圧信号値が減少）する場合は、ピーク周波数を越えたと認定できるので、周波数をΔｆだけワンステップだけ増加させて、高電圧がピーク周波数を越えて下降する直前の周波数に戻し、この周波数をピーク周波数であるとみなしてスイッチング周波数として確定する（図４参照）。
【００３３】
また、上記図２の制御フロー図において、高電圧発生回路３から高電圧の出力を開始し、高電圧出力を読み込み、次に、周波数をΔｆだけワンステップ増加させた時の高電圧が上昇（高電圧信号値が増加）した場合は、周波数をΔｆ増加させ、周波数をΔｆ増加させた時の高電圧が上昇（高電圧信号値が増加）する場合は、周波数制限値（上記赤外線リモコン受信部１４が持つ受信周波数範囲の下限値）を越えたか否かを判定し、周波数制限値を越えた場合は、上記越えた周波数よりもワンステップ前の周波数にスイッチング周波数を確定する。周波数制限値を越えない場合は、再び周波数をΔｆだけワンステップ増加させる（図５参照）。
【００３４】
一方、周波数をΔｆ増加させた時の高電圧が上昇（高電圧信号値が増加）する場合は、ピーク周波数を越えたたと認定できるので、周波数をΔｆだけワンステップだけ減少させて、高電圧がピーク周波数を越えて下降する直前の周波数に戻し、この周波数をピーク周波数であるとみなしてスイッチング周波数として確定する。
【００３５】
図３乃至図６には上記図２の制御フローによってスイッチング周波数を調整する各例の順序を説明するための説明図である。
【００３６】
図３は、スイッチング周波数の初期値が（１）で、最初に周波数をワンステップ（Δｆ）増加させた際に高電圧出力が下降（高電圧信号値が減少）したケースで、次に、周波数をΔｆずつ減少させて、周波数を（２）、（３）……（Ｎ）と減少していく際に、高電圧出力が上昇から下降に転じる前に周波数（Ｎ）が、周波数制限値を越えた場合を示し、この場合は、最初に周波数制限値を越えた（Ｎ）から周波数をワンステップ（Δｆ）増加させた（Ｍ）をスイッチング周波数として確定する例を示している。
【００３７】
図４は、スイッチング周波数の初期値が（１）で、最初に周波数をワンステップ（Δｆ）増加させた際に高電圧出力が下降（高電圧信号値が減少）したケースで、次に、周波数をΔｆずつ減少させて、周波数を（２）、（３）……（Ｎ）と減少していく際に、高電圧出力が上昇から下降に転じて周波数（Ｎ）となっても、周波数制限値を越えない場合を示し、この場合は、高電圧出力が上昇から下降に転じて周波数（Ｎ）から周波数をワンステップ（Δｆ）増加させた（Ｍ）をスイッチング周波数として確定する例を示している。
【００３８】
図５は、スイッチング周波数の初期値が（１）で、最初に周波数をワンステップ（Δｆ）増加させた際に高電圧出力が上昇（高電圧信号値が増加）したケースで、次に、周波数をΔｆずつ増加させて、周波数を（２）……（Ｎ）と増加していく際に、高電圧出力が上昇から下降に転じる前に周波数（Ｎ）が、周波数制限値を越えた場合を示し、この場合は、最初に周波数制限値を越えた（Ｎ）から周波数をワンステップ（Δｆ）減少させた（Ｍ）をスイッチング周波数として確定する例を示している。
【００３９】
図６は、スイッチング周波数の初期値が（１）で、最初に周波数をワンステップ（Δｆ）増加させた際に高電圧出力が上昇（高電圧信号値が増加）したケースで、次に、周波数をΔｆずつ減少させて、周波数を（２）……（Ｎ）と増加していく際に、高電圧出力が上昇から下降に転じて周波数（Ｎ）となっても、周波数制限値を越えない場合を示し、この場合は、高電圧出力が上昇から下降に転じて周波数（Ｎ）から周波数をワンステップ（Δｆ）減少させた（Ｍ）をスイッチング周波数として確定する例を示している。
【００４０】
このようにして、制御手段４に設けた周波数調整手段１２により、高電圧発生回路３のスイッチングを駆動させるための高電圧制御信号の周波数の調整をしてスイッチング周波数を自動的に確定した後、電圧調整手段１１による高電圧発生回路３から出力する高電圧が静電霧化に必要な所定の高電圧となるように自動的に調整する。
【００４１】
すなわち、静電霧化装置５の高電圧発生回路３は組み込まれる部品定数により個体ばらつきがあり、高電圧発生回路３から出力する高電圧の定格電圧に対するばらつきがある。このため、本発明においては、制御手段４に高電圧調整手段１１を設けることで、高電圧発生回路３で出力する高電圧を検出して該検出値に基づいて高電圧調整手段１１により前記高電圧が静電霧化に必要な所定の高電圧となるように自動的に調整する。
【００４２】
ここで、本発明においては、高電圧発生回路３には従来のようにＤＣＤＣコントローラＩＣやスイッチング回路を設けることなく、制御手段４に設けた高電圧調整手段１１により調整されたパルス幅変調方式の高電圧制御信号により高電圧発生回路３に設けたスイッチング素子を直接オン、オフするようになっている。
【００４３】
図７には高電圧調整手段１１による高電圧の調整の制御のフロー図が示してあり、この図７に基づいて高電圧の調整につき説明する。
【００４４】
制御手段４から高電圧制御信号（ＰＷＭデューテイ固定、周波数は上記で求めた周波数）を出力し、高電圧発生回路３から高電圧の出力を開始する。この高電圧発生回路３から出力する高電圧を高電圧検出回路１０で検出して、検出した放電電圧信号を制御手段２に設けた高電圧調整手段１１で読み取り、該高電圧検出回路１０で検出した高電圧が定格電圧であるかを判定し、検出された高電圧が定格電圧の場合は、制御手段４から出力する高電圧制御信号のデューティ比を維持し、一方、検出された高電圧が定格電圧でない場合は、制御手段４から出力する高電圧制御信号のデューティ比を変更し、高電圧が定格電圧となるように調整し、高電圧が定格電圧になると高電圧制御信号のデューティ比を維持する。このように高電圧調整手段１１により、高電圧発生回路３で出力する高電圧を検出して該検出値に基づいて前記高電圧が静電霧化に必要な定格電圧となるように調整する。
【００４５】
また、制御手段４には前述のようにペルチェ電圧制御手段１５が設けてあり、ペルチェ電圧制御手段１５により、前記周波数調整手段１２で求めたスイッチング周波数と同じ周波数の冷却制御信号でペルチェ用電源回路７を駆動するように調整する。
【００４６】
ここで、本発明においては、ペルチェ用電源回路７には従来のようにＤＣＤＣコントローラＩＣやスイッチング回路を設けることなく、制御手段４に設けたペルチェ電圧制御手段１５により調整されたパルス幅変調方式の冷却制御信号によりペルチェ用電源回路７に設けたスイッチング素子を直接オン、オフするようになっている。
【００４７】
図８には高電圧調整手段１１によるペルチェ電圧の調整の制御のフロー図が示してあり、この図８に基づいてペルチェ電圧の調整につき説明する。
【００４８】
制御手段４から冷却制御信号（ＰＷＭデューテイ固定、周波数は前述の周波数調整手段１２を調整して求めたスイッチング周波数と同じ周波数に設定）を出力し、ペルチェ用電源回路７から電圧の出力を開始する。このペルチェ用電源回路７から出力する電圧をペルチェ電圧検出回路２０で検出して、検出したペルチェ電圧信号を制御手段２に設けた高電圧調整手段１１で読み取り、該ペルチェ電圧検出回路２０で検出した電圧が目標電圧であるかを判定し、検出された電圧が目標電圧の場合は、制御手段４から出力する冷却圧制御信号のデューティ比を維持し、一方、検出された高電圧が目標電圧でない場合は、制御手段４から出力する冷却制御信号のデューティ比を変更し、電圧が目標電圧となるように調整し、電圧が目標電圧になると冷却制御信号のデューティ比を維持する。
【００４９】
上記のように、静電霧化装置５の初期設定において、周波数調整手段１２によるスイッチング周波数の調整を行って、高電圧発生回路３のスイッチング周波数を、当該高電圧発生回路３で出力される高電圧が静電霧化に必要な所定の高電圧となるような特定周波数範囲に含まれ、且つ、前記静電霧化装置５が組み込まれた電気機器１３における赤外線リモコン受信部１４が持つ受信周波数範囲に入らない範囲に設定し、更に、このようにして設定したスイッチング周波数と同じ周波数にペルチェ電源回路７のスイッチング周波数を設定するので、高電圧発生回路３のスイッチング及びペルチェ用電源回路７のスイッチングが静電霧化装置５が組み込まれる電気機器１３を誤動作しないようにできる。
【００５０】
また、制御手段４に設けた高電圧調整手段１１により、高電圧発生回路３から出力する高電圧を検出し、この高電圧検出信号に基づいて高電圧発生回路３から出力する高電圧を定格電圧となるように調整し、更に、ペルチェ電圧制御手段１５により、ペルチェ用電源回路７から出力する電圧を検出し、この電圧検出信号に基づいてペルチェ用電源回路７から出力するペルチェ電圧を目標電圧となるように調整するので、高電圧発生回路３、ペルチェ用電源回路７の個体ばらつきを、制御手段４により調整して高電圧発生回路３から出力する高電圧を定格電圧に調整すると共にペルチェ用電源回路７から出力する電圧を目標電圧に調整することができる。
【００５１】
この結果、本発明においては、高電圧発生回路３は、スイッチング駆動と高電圧制御を制御手段４が行うことになり、また、ペルチェ用電源回路７は、スイッチング駆動とペルチェ電圧制御を制御手段が行うこととなり、ＤＣＤＣコントローラＩＣやスイッチング回路を必要とせず、部品点数が少なくなり、コストが安くなる。
【００５２】
そして、本発明の静電霧化装置においては、上記のような調整を初期設定時に制御手段４により自動的に行うので、実際の静電霧化装置５の使用に当たっては、静電霧化によって帯電微粒子水の発生量を安定させることができる。
【００５３】
なお、図１においては、水供給手段２としてペルチェユニットの例を示したが、ペルチェユニット以外の冷却手段であってもよい。また、空気中の水分を結露水として水を供給するものに限定されず、タンクのような水溜め部から毛細管現象や重力等を利用して霧化電極に水を供給するようにしてもよい。
【００５４】
本発明において、ペルチェユニットを設けない場合は、前述の実施形態におけるペルチェ用電源回路７、ペルチェ電圧検出回路２０、ペルチェ電圧制御手段１５は設けない。
【００５５】
また、図１の実施形態では対向電極８を設けた例を示したが、対向電極８を設けない場合であってもよい。
【図面の簡単な説明】
【００５６】
【図１】本発明の静電霧化装置の制御ブロック図である。
【図２】同上のスイッチング周波数を調整して確定する制御フロー図である。
【図３】同上のスイッチング周波数のセンシングの例を示す説明図である。
【図４】同上のスイッチング周波数のセンシングの他例を示す説明図である。
【図５】同上のスイッチング周波数のセンシングの更に他例を示す説明図である。
【図６】同上のスイッチング周波数のセンシングの更に他例を示す説明図である。
【図７】同上の高電圧制御の制御フロー図である。
【図８】同上のペルチェ制御の制御フロー図である。
【符号の説明】
【００５７】
１  霧化電極
２  水供給手段
３  高電圧発生回路
４  制御手段
５  静電霧化装置
１１  高電圧調整手段
１２  周波数調整手段
１３  電気機器
１４  赤外線リモコン受信部
【図１】
2010064052.tif 000003
【図２】
2010064052.tif 000004
【図３】
2010064052.tif 000005
【図４】
2010064052.tif 000006
【図５】
2010064052.tif 000007
【図６】
2010064052.tif 000008
【図７】
2010064052.tif 000009
【図８】
2010064052.tif 000010